(57)【要約】【課題】特定の工程で発生する警報がより容易に把握できるようにする。【解決手段】機器情報記憶部１０２は、機器識別情報および機器識別情報に関連付けられた工程識別情報を記憶する。警報表示対象制御部１０４は、入力部１０３が受け付けた工程を対象工程として対象工程を識別する工程識別情報が対応づけられた機器識別情報を機器情報記憶部１０２より選択して表示対象とする。【選択図】  図１
2017054410.tif 000002
【特許請求の範囲】
【請求項１】
警報出力元の機器を識別する機器識別情報で識別されて前記警報出力元より送出された警報を取得する警報取得部と、
前記機器識別情報および前記機器識別情報に関連付けられた工程識別情報が記憶された機器情報記憶部と、
監視対象となる実行中の工程の選択を受け付ける入力部と、
前記入力部が受け付けた工程を対象工程として前記対象工程を識別する工程識別情報が対応づけられた前記機器識別情報を前記機器情報記憶部より選択して表示対象とする警報表示対象制御部と、
前記警報取得部が取得して前記警報表示対象制御部が表示対象として選択した機器識別情報で識別される警報の情報を表示部に表示する警報表示制御部と
を備えることを特徴とする機器管理装置。
【請求項２】
請求項１記載の機器管理装置において、
前記警報の重要度の順位を検出する重要度順位検出部と、
前記重要度順位検出部が検出した重要度の順位が設定されている閾値より高い警報を選択して表示対象とする重要警報表示選択制御部と
を備え、
前記警報表示制御部は、前記警報表示対象制御部が表示対象として選択した機器識別情報で識別される警報に加え、前記重要警報表示選択制御部が選択した警報の情報を前記表示部に表示する
ことを特徴とする機器管理装置。
【発明の詳細な説明】
【技術分野】
【０００１】
本発明は、制御対象の機器より送出された警報を表示する機器管理装置に関する。
【背景技術】
【０００２】
例えば、プラントなどの制御には、制御システムが用いられ、さらに機器管理装置が用いられている。このような監視制御システムにおいては、ネットワークにより接続している現場に設置されたプロセス機器や各種センサなどのフィールド機器との間で信号をやりとりし、フィールド機器の動作を制御し、フィールド機器の動作確認などの診断結果を表示し、また、パラメータ設定などを行っている。
【０００３】
例えば、フィールド機器より発生している様々な警報を、警報の項目毎に表示している。例えば、合成樹脂などの製造プロセスでは、原料の供給量，反応層における温度などが対応するセンサ（フィールド機器）で計測され、所定の範囲を外れる値が計測された場合、計測をしている機器を識別する情報と共に警報をネットワークに出力（送出）する。このようにして送出された警報は、監視装置などにより収集され、警報表示部に表示される（特許文献１参照）。
【先行技術文献】
【特許文献】
【０００４】
【特許文献１】特開２０１０−２２４８９３号公報
【発明の概要】
【発明が解決しようとする課題】
【０００５】
ところで、製造プロセスでは、複数の生産ラインが稼働しており、また、１つの生産ラインは複数の工程（プロセス）から構成されている。加えて、各工程において用いられる製造装置には、多くの制御値が存在し、これに対応してセンサなどの多くのフィールド機器が動作している。従って、多種多様な警報が存在し、１つの警報表示画面に多くの警報が表示されることになる。このため、特定の生産ラインの特定の工程における警報のみを把握することが容易ではない。
【０００６】
本発明は、以上のような問題点を解消するためになされたものであり、特定の工程で発生する警報がより容易に把握できるようにすることを目的とする。
【課題を解決するための手段】
【０００７】
本発明に係る機器管理装置は、警報出力元の機器を識別する機器識別情報で識別されて警報出力元より送出された警報を取得する警報取得部と、機器識別情報および機器識別情報に関連付けられた工程識別情報が記憶された機器情報記憶部と、監視対象となる実行中の工程の選択を受け付ける入力部と、入力部が受け付けた工程を対象工程として対象工程を識別する工程識別情報が対応づけられた機器識別情報を機器情報記憶部より選択して表示対象とする警報表示対象制御部と、警報取得部が取得して警報表示対象制御部が表示対象として選択した機器識別情報で識別される警報の情報を表示部に表示する警報表示制御部とを備える。
【０００８】
上記機器管理装置において、警報の重要度の順位を検出する重要度順位検出部と、重要度順位検出部が検出した重要度の順位が設定されている閾値より高い警報を選択して表示対象とする重要警報表示選択制御部とを備え、警報表示制御部は、警報表示対象制御部が表示対象として選択した機器識別情報で識別される警報に加え、重要警報表示選択制御部が選択した警報の情報を表示部に表示するようにしてもよい。
【発明の効果】
【０００９】
以上説明したように、本発明によれば、警報表示対象制御部が、監視対象として設定された対象工程の実行中に対象工程を識別する工程識別情報が対応づけられた機器識別情報を機器情報記憶部より選択して表示対象とするようにしたので、特定の工程で発生する警報がより容易に把握できるという優れた効果が得られる。
【図面の簡単な説明】
【００１０】
【図１】図１は、本発明の実施の形態における機器管理装置１００の構成を示す構成図である。
【図２】図２は、表示部１０７に表示される警報の状態を示す説明図である。
【図３】図３は、本発明の実施の形態における機器管理装置１００の動作例を説明するフローチャートである。
【図４】図４は、表示部１０７に表示される警報の状態を示す説明図である。
【発明を実施するための形態】
【００１１】
以下、本発明の実施の形態について図を参照して説明する。図１は、本発明の実施の形態における機器管理装置１００の構成を示す構成図である。機器管理装置１００は、警報取得部１０１、機器情報記憶部１０２、入力部１０３、警報表示対象制御部１０４、警報表示制御部１０５、設定部１０６、表示部１０７を備える。また、機器管理装置１００は、ネットワークを介して複数のコントローラ１２０が接続し、各コントローラ１２０には、複数のフィールド機器１３１が接続している。
【００１２】
ここで、よく知られているように、コントローラ１２０およびフィールド機器１３１は階層関係にある機器であり、コントローラ１２０が上位階層に位置し、フィールド機器１３１がコントローラ１２０の下位階層に位置する。
【００１３】
フィールド機器１３１は、プラントに配置される機器であり、例えばフィールドバスを介してコントローラ１２０と双方向に通信する機能を有し、計測結果や自己診断結果などを出力している。フィールドバスは、デジタル信号で双方向通信可能な通信方式のネットワークである。この通信仕様は、フィールドバス協会（Fieldbus Foundation（登録商標））によって、ファウンデーションフィールドバス(Foundation Fieldbus)として規格化（標準化）されている。
【００１４】
フィールド機器１３１としては、例えば、反応層内の圧力，温度などを検出する各種センサ、反応層内への原料の供給流量などを検出するセンサ、流量制御弁や圧力制御弁などの各種バルブおよびこれを制御するバルブポジショナ、ポンプを動作させる各種アクチュエータ、撹拌子を回転させるモータ、加熱のためのヒータなどがある。
【００１５】
コントローラ１２０は、下位階層に位置するフィールド機器１３１を統括制御する。コントローラ１２０は、例えば、センサであるいずれかのフィールド機器１３１から取得した流量，温度，圧力などの測定値に基づき、バルブポジショナ，モータ，ヒータなどのフィールド機器１３１を制御する。また、コントローラ１２０は、センサであるフィールド機器１３１で測定される測定値が、設定されている範囲を外れた場合、当該フィールド機器を識別する識別情報と共に、測定値に異常があることを示す警報を送出する。
【００１６】
警報取得部１０１は、警報出力元のフィールド機器１３１を識別する機器識別情報で識別されてコントローラ１２０（警報出力元）より送出された警報を取得する。
【００１７】
機器情報記憶部１０２は、機器識別情報および機器識別情報に関連付けられた工程識別情報を記憶する。入力部１０３は、監視対象となる実行中の工程の選択を受け付ける。警報表示対象制御部１０４は、入力部１０３が受け付けた工程を対象工程として対象工程を識別する工程識別情報が対応づけられた機器識別情報を機器情報記憶部１０２より選択して表示対象とする。例えば、表示部１０７の実施工程表示領域に表示されている工程の中より、利用者が選択して入力部１０３を操作して入力された工程が、対象工程とされ表示対象となる。
【００１８】
警報表示制御部１０５は、警報取得部１０１が取得して警報表示対象制御部１０４が表示対象として選択した機器識別情報で識別される警報の情報を表示部１０７に表示する。例えば、図２に示すように、表示部１０７の所定領域（警報表示領域）に警報が表示される。
【００１９】
例えば、ポイント詳細情報「ＦＬ４０００２７」（ポイント名「ＦＬ４０００２７」）で識別されるフィールド機器１３１において、「２０１１／０８／３１  １７：５０：１５」に、警報が発生したことが示されている。この警報は、ポイント詳細情報「ＦＬ４０００２７」のフィールド機器１３１が「ＯＮ」になると発令されることが、アラーム種別「ＯＦＦ  ＮＯＲＭＡＬ」により示されている。ポイント詳細情報「ＦＬ４０００２７」のフィールド機器１３１が「ＯＮ」になったため、警報が発令されている。
【００２０】
また、例えば、ポイント詳細情報「Ｌ２４００４１」（ポイント名「Ｌ２４００４１」）で識別されるフィールド機器１３１において、「２０１１／０８／３１  ２０：３５：２５」に、警報が発生したことが示されている。この警報は、ポイント詳細情報「Ｌ２４００４１」のフィールド機器１３１で測定されている測定値が、設定値「５００」を超えると発令されることが、アラーム種別「ＰＶＨＨ」により示されている。ポイント詳細情報「Ｌ２４００４１」のフィールド機器１３１で測定されている測定値が「５１０」となり、設定値を超えたので、警報が発令されている。
【００２１】
なお、機器情報記憶部１０２には、予め、入力部１０３で機器識別情報に対して関連付けられる工程識別情報を受け付け、設定部１０６で、入力部１０３が受け付けた工程識別情報を対象とする機器識別情報に関連付けて記憶している。
【００２２】
また、機器管理装置１００は、重要度順位検出部１０８、重要警報表示選択制御部１０９を備える。重要度順位検出部１０８は、警報の重要度の順位を検出する。重要警報表示選択制御部１０９は、重要度順位検出部１０８が検出した重要度の順位が設定されている閾値より高い警報を選択して表示対象とする。
【００２３】
設定されている閾値より高い重要度の警報が発生し、この警報が重要警報表示選択制御部１０９で選択されると、警報表示制御部１０５は、警報表示対象制御部１０４が表示対象として選択した機器識別情報で識別される警報に加え、重要警報表示選択制御部１０９が選択した警報の情報を表示部１０７に表示する。
【００２４】
次に、本発明の実施の形態における機器管理装置の動作例について、図３のフローチャートを用いて説明する。まず、ステップＳ３０１で、機器管理装置１００の制御により、表示部１０７の実施工程表示領域に、実施中の工程が表示される。次に、ステップＳ３０２で、利用者の入力部１０３の操作により、表示部１０７に表示されている実施中工程の中より対象工程の入力指示を受け付けると、ステップＳ３０３で、警報表示対象制御部１０４が、受け付けた対象工程を識別する工程識別情報が対応づけられた機器識別情報を機器情報記憶部１０２より選択して表示対象とする。
【００２５】
例えば、新規製品の製造に関して原料の種類，原料の使用量，加工手順などの新たなレシピで製造工程を試験稼働させるため、この試験工程Ａで発生する警報に注目したい場合、表示部１０７の実施工程表示領域に表示されている工程Ａを選択し、入力部１０３により入力する。このような利用者の入力操作により工程Ａが入力されると、工程Ａが表示対象となる。
【００２６】
以上のように、警報表示対象制御部１０４で表示対象が設定（選択）されると、ステップＳ３０４で、警報表示制御部１０５が、警報取得部１０１により取得された警報情報の中より、警報表示対象制御部１０４が表示対象として選択した機器識別情報で識別される警報の情報を表示部１０７に表示する選択表示制御を開始する。この制御により、表示対象とされていない機器識別情報で識別される警報は、表示されなくなる。
【００２７】
次に、ステップＳ３０５で、警報取得部１０１が、実行中の対象工程を識別する工程識別情報が対応づけられた機器識別情報で識別された警報を取得すると（ステップＳ３０５のｙ）、ステップＳ３０６で、警報表示制御部１０５が、警報取得部１０１が取得して警報表示対象制御部１０４が表示対象として選択している機器識別情報で識別される警報の情報を表示部１０７に表示する。
【００２８】
例えば、図４に示すように、表示部１０７に警報が表示される。この例では、機器識別情報で識別されるポイント詳細情報「Ｌ２４００４１」（ポイント名「Ｌ２４００４１」）のフィールド機器１３１で発令された警報が示されている。
【００２９】
一方、ステップＳ３０５で、警報取得部１０１により実行中の対象工程を識別する工程識別情報が対応づけられた機器識別情報で識別された警報が取得されない場合（ステップＳ３０５のｎ）、ステップＳ３０７で、重要度順位検出部１０８で検出している警報の重要度の順位が設定されている閾値より高いことを、重要警報表示選択制御部１０９が検出すると（ステップＳ３０７のｙ）、重要警報表示選択制御部１０９は、閾値より高い警報を選択して表示対象とし、ステップＳ３０８で、警報表示制御部１０５が、表示対象とされた警報を表示部１０７に表示する。この場合、対象工程を識別する工程識別情報が対応づけられていない機器識別情報で識別される警報であっても、表示対象となり表示される。なお、ステップＳ３０７で、重要度順位検出部１０８で検出している警報の重要度の順位が設定されている閾値より高いことが、重要警報表示選択制御部１０９により検出されない場合（ステップＳ３０７のｎ）、警報の表示はされない。
【００３０】
次に、ステップＳ３０９で、警報表示対象制御部１０４が、対象工程の終了を検出すると、ステップＳ３１０で、警報表示制御部１０５が、選択表示制御を終了する。これにより、実施されている全ての工程において発令された警報が表示されるようになる。また、バッチ処理される複数の工程識別情報を受け付けるようにしてもよい。この場合、順次実施される工程毎に、上述した各ステップを繰り返す。
【００３１】
以上に説明したように、本発明によれば、警報表示対象制御部が、監視対象として設定された対象工程の実行中に対象工程を識別する工程識別情報が対応づけられた機器識別情報を機器情報記憶部より選択して表示対象とするようにしたので、特定の工程で発生する警報がより容易に把握できるようになる。
【００３２】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００３３】
１００…機器管理装置、１０１…警報取得部、１０２…機器情報記憶部、１０３…入力部、１０４…警報表示対象制御部、１０５…警報表示制御部、１０６…設定部、１０７…表示部、１０８…重要度順位検出部、１０９…重要警報表示選択制御部、１２０…コントローラ、１３１…フィールド機器。
【図１】
2017054410.tif 000003
【図２】
2017054410.tif 000004
【図３】
2017054410.tif 000005
【図４】
2017054410.tif 000006